【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
認可スペクトルおよび無認可スペクトルの両方を介して送信することが可能なユーザ機器（ＵＥ）において、前記認可スペクトルを介してアップリンク許可を受信すること、ここにおいて、前記アップリンク許可は、前記無認可スペクトル上のリソースの第１のセットおよび前記認可スペクトル上のフォールバックリソースの第２のセットが前記ＵＥのためにリザーブされることを示す、と、
前記無認可スペクトル上のリソースの前記第１のセットの利用可能性を決定するために、前記アップリンク許可に応答してクリアチャネルアセスメント（ＣＣＡ）を前記ＵＥによって実行すること、前記ＣＣＡは、リソースの前記第１のセットおよびフォールバックリソースの前記第２のセットの出現の前に実行される、と、
リソースの前記第１のセットが利用できることを前記実行されたＣＣＡが示す場合、前記認可スペクトル上のフォールバックリソースの前記第２のセットの代わりに、前記無認可スペクトル上のリソースの前記第１のセットを使用して、伝送を前記ＵＥによって実行することと、
リソースの前記第１のセットが利用できないことを前記実行されたＣＣＡが示す場合、前記無認可スペクトル上のリソースの前記第１のセットの代わりに、前記認可スペクトル上のフォールバックリソースの前記第２のセットを使用して、フォールバック伝送を前記ＵＥによって実行することと、
を備える、ワイヤレス通信のための方法。
【請求項２】
リソースの前記第１のセットが利用できないことを前記ＣＣＡが示す場合、前記無認可スペクトルの非利用可能性を示すシグナリングを、前記認可スペクトルを使用して送信すること
をさらに備える、請求項１に記載の方法。
【請求項３】
リソースの前記第１のセットおよびリソースの前記第２のセットの各々は、
サブフレームの数、連続するサブフレーム間の時間間隔、および前記アップリンク許可の受信の時間とリソースサブセットの前記第１のセットまたはフォールバックリソースの前記第２のセットの中のサブフレームの最初の出現との間の初期オフセット
のうちの、１つまたは複数の観点から規定される、請求項１に記載の方法。
【請求項４】
リソースの前記第１のセットは、フォールバックリソースの前記第２のセットに時間的に重複する、請求項１に記載の方法。
【請求項５】
リソースの前記第１のセットおよびリソースの前記第２のセットは、同じサブフレームの中で開始する、請求項１に記載の方法。
【請求項６】
リソースの前記第１のセットは、第１のサブフレームの中で開始し、
リソースの前記第２のセットは、前記第１のサブフレームから遅延した第２のサブフレームの中で開始する、
請求項１に記載の方法。
【請求項７】
前記アップリンク許可は、アップリンク許可の優先シーケンスを備え、アップリンク許可の前記優先シーケンスの中の各アップリンク許可は、それぞれのコンポーネントキャリアに関連付けられ、
前記ＣＣＡを実行することは、アップリンク許可の前記優先シーケンスに関連付けられている前記それぞれのコンポーネントキャリアのうちの１つまたは複数のコンポーネントキャリアの利用可能性を決定するために、前記１つまたは複数のそれぞれのコンポーネントキャリア上で１つまたは複数のＣＣＡを実行することを備え、前記方法は、
前記１つまたは複数のコンポーネントキャリアのうちの１つのコンポーネントキャリアを前記１つまたは複数のＣＣＡに少なくとも部分的に基づいて利用できると識別することと
をさらに備える、請求項１に記載の方法。
【請求項８】
前記識別することは、前記１つまたは複数のコンポーネントキャリアのうちの複数のコンポーネントキャリアを利用できると識別することを備え、前記複数のコンポーネントキャリアは、アップリンク許可の前記優先シーケンスの中のアップリンク許可のサブセットに対応し、前記識別されたコンポーネントキャリアは、前記複数のコンポーネントキャリアから選択され、アップリンク許可の前記サブセットの中で最も優先度の高い第２のアップリンク許可に対応する、請求項７に記載の方法。
【請求項９】
アップリンク許可の前記優先シーケンスの中の各アップリンク許可は、
前記それぞれのコンポーネントキャリアに対する物理リソースブロック（ＰＲＢ）のセット、および
前記アップリンク許可が適用できるサブフレームのサブセット
のうちの１つまたは複数をさらに備える、
請求項７に記載の方法。
【請求項１０】
サブフレームの前記サブセットは、
サブフレームの前記サブセットの中のサブフレームの数、サブフレームの前記サブセットの中の連続するサブフレーム間の時間間隔、および前記アップリンク許可の受信の時間とサブフレームの前記サブセットの中のサブフレームの最初の出現との間の初期オフセット
のうちの、１つまたは複数の観点から規定される、請求項９に記載の方法。
【請求項１１】
アップリンク許可の前記優先シーケンスの中の第２のアップリンク許可の中のパラメータは、アップリンク許可の前記優先シーケンスの中の別のアップリンク許可の中のそれぞれのパラメータから暗黙のうちに決定される、請求項７に記載の方法。
【請求項１２】
前記優先シーケンスの相異なるアップリンク許可の中のパラメータ間の暗黙の関係は、無線リソース制御（ＲＲＣ）シグナリングを通じて少なくとも部分的に規定される、請求項７に記載の方法。
【請求項１３】
ＰＲＢのセットに対する前記無認可スペクトル上での最大アップリンクデータレートの指示を、前記認可スペクトルを介して受信することと、
前記指示に応答してサブフレームの中で前記ＣＣＡを実行すること、前記ＣＣＡは、次のサブフレームの中で前記伝送を実行するための、前記無認可スペクトル中のＰＲＢの前記セットに対するコンポーネントキャリアの利用可能性を決定するために実行される、と、
をさらに備える、請求項１に記載の方法。
【請求項１４】
前記無認可スペクトル中のＰＲＢの前記セットに対する前記コンポーネントキャリアが利用できることを前記ＣＣＡが示す場合、前記アップリンク許可に少なくとも部分的に基づいて、前記無認可スペクトルを使用して前記伝送を実行することと、
前記無認可スペクトル中のＰＲＢの前記セットに対する前記コンポーネントキャリアが利用できないことを前記ＣＣＡが示す場合、前記アップリンク許可に少なくとも部分的に基づいて、前記次のサブフレームの中で前記ＣＣＡを実行することと
をさらに備える、請求項１３に記載の方法。
【請求項１５】
前記無認可スペクトル中のＰＲＢの前記セットに対する前記コンポーネントキャリアが利用できることを前記ＣＣＡが示す場合、前記アップリンク許可に少なくとも部分的に基づいて、前記無認可スペクトルを使用して前記伝送を実行することと、
前記無認可スペクトル中のＰＲＢの前記セットに対する前記コンポーネントキャリアが利用できないことを前記ＣＣＡが示す場合、前記アップリンク許可に少なくとも部分的に基づいて、前記認可スペクトルを使用して前記伝送を実行することと
をさらに備える、請求項１３に記載の方法。
【請求項１６】
ＰＲＢの同じセットは、複数のユーザの各々に前記無認可スペクトルのアップリンク上で割り当てられる、請求項１３に記載の方法。
【請求項１７】
ＰＲＢの前記同じセットが割り当てられた前記複数のユーザから送信されるデータは、逐次干渉除去（ＳＩＣ）を使用して復号される、請求項１６に記載の方法。
【請求項１８】
ＰＲＢの前記同じセットが割り当てられた前記複数のユーザは、直交復調基準信号（ＤＭ−ＲＳ）シーケンスが割り当てられる、請求項１６に記載の方法。
【請求項１９】
前記複数のユーザの各々は、別個のスクランブリングコードが割り当てられる、請求項１８に記載の方法。
【請求項２０】
前記無認可スペクトル中のＰＲＢの前記セットに対する前記コンポーネントキャリアが利用できることを前記ＣＣＡが示す場合、前記方法は、
割り当てられた直交ＤＭ−ＲＳシーケンスおよび割り当てられたスクランブリングコードのうちの一方または両方に従って、アップリンクデータ、アップリンク制御信号、およびアップリンク基準信号のうちの１つまたは複数を送信すること
をさらに備える、請求項１３に記載の方法。
【請求項２１】
前記アップリンクデータ、前記アップリンク制御信号、および前記アップリンク基準信号のうちの前記１つまたは複数と一緒に、送信フォーマット選択、ハイブリッド自動再送要求識別子（ＨＡＲＱ−ＩＤ）、およびＨＡＲＱ冗長バージョン（ＲＶ）のうちの１つまたは複数を示す信号を送信すること
をさらに備える、請求項２０に記載の方法。
【請求項２２】
基地局が前記アップリンク許可をスケジュールするために、スケジューリング要求、バッファステータス報告、および電力ヘッドルーム報告のうちの１つまたは複数を送信すること
をさらに備える、請求項１に記載の方法。
【請求項２３】
前記電力ヘッドルーム報告は、前記認可スペクトルと関連した第１の電力ヘッドルームと、前記無認可スペクトルと関連した第２の電力ヘッドルームとを示す、請求項２２に記載の方法。
【請求項２４】
前記アップリンク許可によって示される変調コーディング方式（ＭＣＳ）からの変更を識別することと、
前記アップリンク許可によって割り振られたＰＲＢ内のリソース要素のセットを介してメッセージを送信すること、前記メッセージは、ＭＣＳの前記識別された変更を示す、と
をさらに備える、請求項１に記載の方法。
【請求項２５】
前記アップリンク許可は、アップリンク伝送に対してＭＣＳを割り振ることなく、アップリンク伝送に対してＰＲＢを割り振り、前記方法は、
前記アップリンク許可を受信すると、アップリンク伝送に対して前記ＭＣＳを決定することと、
アップリンク伝送に対して割り振られた前記ＰＲＢ内のリソース要素のセットを介してメッセージを送信すること、前記メッセージは、アップリンク伝送に対して決定された前記ＭＣＳを示す、と
をさらに備える、請求項１に記載の方法。
【請求項２６】
プロセッサと、
前記プロセッサと電子通信しているメモリと、
前記メモリに記憶された命令、前記命令は、
認可スペクトルおよび無認可スペクトルの両方を介して送信することが可能なユーザ機器（ＵＥ）において、前記認可スペクトルを介してアップリンク許可を受信すること、ここにおいて、前記アップリンク許可は、前記無認可スペクトル上のリソースの第１のセットおよび前記認可スペクトル上のフォールバックリソースの第２のセットが前記ＵＥのためにリザーブされることを示す、と、
前記無認可スペクトル上のリソースの前記第１のセットの利用可能性を決定するために、前記アップリンク許可に応答してクリアチャネルアセスメント（ＣＣＡ）を前記ＵＥによって実行すること、前記ＣＣＡは、リソースの前記第１のセットおよびフォールバックリソースの前記第２のセットの出現の前に実行される、と、
リソースの前記第１のセットが利用できることを前記実行されたＣＣＡが示す場合、前記認可スペクトル上のフォールバックリソースの前記第２のセットの代わりに、前記無認可スペクトル上のリソースの前記第１のセットを使用して、伝送を前記ＵＥによって実行することと、
リソースの前記第１のセットが利用できないことを前記実行されたＣＣＡが示す場合、前記無認可スペクトル上のリソースの前記第１のセットの代わりに、前記認可スペクトル上のフォールバックリソースの前記第２のセットを使用して、フォールバック伝送を前記ＵＥによって実行することと、
を行うように前記プロセッサによって実行可能である、と、
を備える、ワイヤレス通信のための装置。
【請求項２７】
前記命令は、
リソースの前記第１のセットが利用できないことを前記ＣＣＡが示す場合、前記無認可スペクトルの非利用可能性を示すシグナリングを、前記認可スペクトルを使用して送信する、
ように前記プロセッサによって実行可能である、請求項２６に記載の装置。
【請求項２８】
リソースの前記第１のセットおよびリソースの前記第２のセットの各々は、
サブフレームの数、連続するサブフレーム間の時間間隔、および前記アップリンク許可の受信の時間とリソースの前記第１のセットまたはフォールバックリソースの前記第２のセットの中のサブフレームの最初の出現との間の初期オフセットのうちの、１つまたは複数の観点から規定される、請求項２６に記載の装置。
【請求項２９】
リソースの前記第１のセットは、第１のサブフレームの中で開始し、
リソースの前記第２のセットは、前記第１のサブフレームから遅延した第２のサブフレームの中で開始する、
請求項２６に記載の装置。
【請求項３０】
前記アップリンク許可は、アップリンク許可の優先シーケンスを備え、アップリンク許可の前記優先シーケンスの中の各アップリンク許可は、それぞれのコンポーネントキャリアに関連付けられ、
前記ＣＣＡを実行するための前記命令は、
アップリンク許可の前記優先シーケンスに関連付けられている前記それぞれのコンポーネントキャリアのうちの１つまたは複数のコンポーネントキャリアの利用可能性を決定するために、前記１つまたは複数のそれぞれのコンポーネントキャリア上で１つまたは複数のＣＣＡを実行する
ように前記プロセッサによってさらに実行可能であり、前記命令は、
前記１つまたは複数のコンポーネントキャリアのうちの１つのコンポーネントキャリアを前記１つまたは複数のＣＣＡに少なくとも部分的に基づいて利用できると識別する、
ように前記プロセッサによって実行可能である、請求項２６に記載の装置。
【請求項３１】
アップリンク許可の前記優先シーケンスの中の各アップリンク許可は、
前記それぞれのコンポーネントキャリアに対する物理リソースブロック（ＰＲＢ）のセット、および
前記アップリンク許可が適用できるサブフレームのサブセット
のうちの１つまたは複数をさらに備える、請求項３０に記載の装置。
【請求項３２】
サブフレームの前記サブセットは、
サブフレームの前記サブセットの中のサブフレームの数、サブフレームの前記サブセットの中の連続するサブフレーム間の時間間隔、および前記アップリンク許可の受信の時間とサブフレームの前記サブセットの中のサブフレームの最初の出現との間の初期オフセット
のうちの、１つまたは複数の観点から規定される、請求項３１に記載の装置。
【請求項３３】
前記優先シーケンスの相異なるアップリンク許可の中のパラメータ間の暗黙の関係は、無線リソース制御（ＲＲＣ）シグナリングを通じて少なくとも部分的に規定される、請求項３０に記載の装置。
【請求項３４】
前記命令は、
ＰＲＢのセットに対する前記無認可スペクトル上での最大アップリンクデータレートの指示を、前記認可スペクトルを介して受信することと、
前記指示に応答してサブフレームの中で前記ＣＣＡを実行すること、前記ＣＣＡは、次のサブフレームの中で前記伝送を実行するための、前記無認可スペクトル中のＰＲＢの前記セットに対するコンポーネントキャリアの利用可能性を決定するために実行される、
を行うように前記プロセッサによって実行可能である、請求項２６に記載の装置。
【請求項３５】
前記命令は、
前記無認可スペクトル中のＰＲＢの前記セットに対する前記コンポーネントキャリアが利用できることを前記ＣＣＡが示す場合、前記アップリンク許可に少なくとも部分的に基づいて、前記無認可スペクトルを使用して前記伝送を実行することと、
前記無認可スペクトル中のＰＲＢの前記セットに対する前記コンポーネントキャリアが利用できないことを前記ＣＣＡが示す場合、前記アップリンク許可に少なくとも部分的に基づいて、前記次のサブフレームの中で前記ＣＣＡを実行することと
を行うように前記プロセッサによって実行可能である、請求項３４に記載の装置。
【請求項３６】
前記命令は、
前記無認可スペクトル中のＰＲＢの前記セットに対する前記コンポーネントキャリアが利用できることを前記ＣＣＡが示す場合、前記アップリンク許可に少なくとも部分的に基づいて、前記無認可スペクトルを使用して前記伝送を実行することと、
前記無認可スペクトル中のＰＲＢの前記セットに対する前記コンポーネントキャリアが利用できないことを前記ＣＣＡが示す場合、前記アップリンク許可に少なくとも部分的に基づいて、前記認可スペクトルを使用して前記伝送を実行することと
を行うように前記プロセッサによって実行可能である、請求項３４に記載の装置。
【請求項３７】
ＰＲＢの同じセットは、複数のユーザの各々に前記無認可スペクトルのアップリンク上で割り当てられる、請求項３４に記載の装置。
【請求項３８】
ＰＲＢの前記同じセットが割り当てられた前記複数のユーザから送信されるデータは、逐次干渉除去（ＳＩＣ）を使用して復号される、請求項３７に記載の装置。
【請求項３９】
ＰＲＢの前記同じセットが割り当てられた前記複数のユーザは、直交復調基準信号（ＤＭ−ＲＳ）シーケンスが割り当てられる、請求項３７に記載の装置。
【請求項４０】
前記複数のユーザの各々は、別個のスクランブリングコードが割り当てられる、請求項３９に記載の装置。
【請求項４１】
前記無認可スペクトル中のＰＲＢの前記セットに対する前記コンポーネントキャリアが利用できることを前記ＣＣＡが示す場合、前記命令は、
割り当てられた直交ＤＭ−ＲＳシーケンスおよび割り当てられたスクランブリングコードのうちの一方または両方に従って、アップリンクデータ、アップリンク制御信号、およびアップリンク基準信号のうちの１つまたは複数を送信する
ように前記プロセッサによって実行可能である、請求項３４に記載の装置。
【請求項４２】
前記命令は、
前記アップリンクデータ、前記アップリンク制御信号、および前記アップリンク基準信号のうちの前記１つまたは複数と一緒に、送信フォーマット選択、ハイブリッド自動再送要求識別子（ＨＡＲＱ−ＩＤ）、およびＨＡＲＱ冗長バージョン（ＲＶ）のうちの１つまたは複数を示す信号を送信する
ように前記プロセッサによって実行可能である、請求項４１に記載の装置。
【請求項４３】
前記命令は、
基地局が前記アップリンク許可をスケジュールするために、スケジューリング要求、バッファステータス報告、および電力ヘッドルーム報告のうちの１つまたは複数を送信する
ように前記プロセッサによって実行可能である、請求項２６に記載の装置。
【請求項４４】
前記アップリンク許可は、アップリンク伝送に対して変調コーディング方式（ＭＣＳ）を割り振ることなく、アップリンク伝送に対してＰＲＢを割り振り、
前記命令は、
前記アップリンク許可を受信すると、アップリンク伝送に対して前記ＭＣＳを決定することと、
アップリンク伝送に対して割り振られた前記ＰＲＢ内のリソース要素のセットを介してメッセージを送信すること、前記メッセージは、アップリンク伝送に対して決定された前記ＭＣＳを示す、と、
を行うように前記プロセッサによって実行可能である、請求項２６に記載の装置。
【請求項４５】
認可スペクトルおよび無認可スペクトルの両方を介して送信することが可能なユーザ機器（ＵＥ）において、前記認可スペクトルを介してアップリンク許可を受信するための手段、ここにおいて、前記アップリンク許可は、前記無認可スペクトル上のリソースの第１のセットおよび前記認可スペクトル上のフォールバックリソースの第２のセットが前記ＵＥのためにリザーブされることを示す、と、
前記無認可スペクトル上のリソースの前記第１のセットの利用可能性を決定するために、前記アップリンク許可に応答してクリアチャネルアセスメント（ＣＣＡ）を前記ＵＥによって実行するための手段、前記ＣＣＡは、リソースの前記第１のセットおよびフォールバックリソースの前記第２のセットの出現前に実行される、と
リソースの前記第１のセットが利用できることを前記実行されたＣＣＡが示す場合、前記認可スペクトル上のフォールバックリソースの前記第２のセットの代わりに、前記無認可スペクトル上のリソースの前記第１のセットを使用して、伝送を前記ＵＥによって実行するための手段と、
リソースの前記第１のセットが利用できないことを前記実行されたＣＣＡが示す場合、前記無認可スペクトル上のリソースの前記第１のセットの代わりに、前記認可スペクトル上のフォールバックリソースの前記第２のセットを使用して、フォールバック伝送を前記ＵＥによって実行するための手段と
を備える、ワイヤレス通信のための装置。
【請求項４６】
リソースの前記第１のセットが利用できないことを前記ＣＣＡが示す場合、前記無認可スペクトルの非利用可能性を示すシグナリングを、前記認可スペクトルを使用して送信するための手段
をさらに備える、請求項４５に記載の装置。
【請求項４７】
ワイヤレス通信のためのコンピュータプログラム製品であって、前記コンピュータプログラム製品は、
認可スペクトルおよび無認可スペクトルの両方を介して送信することが可能なユーザ機器（ＵＥ）において、前記認可スペクトルを介してアップリンク許可を受信すること、ここにおいて、前記アップリンク許可は、前記無認可スペクトル上のリソースの第１のセットおよび前記認可スペクトル上のフォールバックリソースの第２のセットが前記ＵＥのためにリザーブされることを示す、と、
前記無認可スペクトル上のリソースの前記第１のセットの利用可能性を決定するために、前記アップリンク許可に応答してクリアチャネルアセスメント（ＣＣＡ）を前記ＵＥによって実行すること、前記ＣＣＡは、リソースの前記第１のセットおよびフォールバックリソースの前記第２のセットの出現前に実行される、と、
リソースの前記第１のセットが利用できることを前記実行されたＣＣＡが示す場合、前記認可スペクトル上のフォールバックリソースの前記第２のセットの代わりに、前記無認可スペクトル上のリソースの前記第１のセットを使用して、伝送を前記ＵＥによって実行することと、
リソースの前記第１のセットが利用できないことを前記実行されたＣＣＡが示す場合、前記無認可スペクトル上のリソースの前記第１のセットの代わりに、前記認可スペクトル上のフォールバックリソースの前記第２のセットを使用して、フォールバック伝送を前記ＵＥによって実行することと
を行うようにプロセッサによって実行可能な命令を記憶する非一時的コンピュータ可読媒体を備える、ワイヤレス通信のためのコンピュータプログラム製品。
【請求項４８】
前記命令は、
リソースの前記第１のセットが利用できないことを前記ＣＣＡが示す場合、前記無認可スペクトルの非利用可能性を示すシグナリングを、前記認可スペクトルを使用して送信する
ように前記プロセッサによって実行可能である、請求項４７に記載のコンピュータプログラム製品。
【請求項４９】
認可スペクトルを介してスケジューリング情報を受信することと、
前記認可スペクトルおよび無認可スペクトルの両方を介して送信することが可能なユーザ機器（ＵＥ）に、前記認可スペクトルを介してアップリンク許可を送信すること、前記アップリンク許可は、前記スケジューリング情報に少なくとも部分的に基づいており、かつ、前記無認可スペクトル上のリソースの第１のセットおよび前記認可スペクトル上のフォールバックリソースの第２のセットが前記ＵＥのためにリザーブされることを示し、前記アップリンク許可は、リソースの前記第１のセットおよびフォールバックリソースの前記第２のセットの出現の前に、前記無認可スペクトル上のリソースの前記第１のセットの利用可能性を決定するためのクリアチャネルアセスメント（ＣＣＡ）をトリガするように構成される、と、
リソースの前記第１のセットが利用できることを前記ＣＣＡが示す場合、前記無認可スペクトル上のリソースの前記第１のセットを介して伝送を受信することと、
リソースの前記第１のセットが利用できないことを前記ＣＣＡが示す場合、前記認可スペクトル上のフォールバックリソースの前記第２のセットを介してフォールバック伝送を受信することと
を備える、ワイヤレス通信のための方法。
【請求項５０】
リソースの前記第１のセットは、フォールバックリソースの前記第２のセットに時間的に重複する、請求項４９に記載の方法。
【請求項５１】
リソースの前記第１のセットおよびリソースの前記第２のセットは、同じサブフレームの中で開始する、請求項４９に記載の方法。
【請求項５２】
リソースの前記第１のセットは、第１のサブフレームの中で開始し、
リソースの前記第２のセットは、前記第１のサブフレームから遅延した第２のサブフレームの中で開始する、
請求項４９に記載の方法。
【請求項５３】
前記無認可スペクトルの中のリソースの前記第１のセットを介して前記伝送が受信される場合、前記認可スペクトルの中のフォールバックリソースの前記第２のセットを解放すること
をさらに備える、請求項５２に記載の方法。
【請求項５４】
前記スケジューリング情報は、
スケジューリング要求、
バッファステータス報告、ならびに
前記認可スペクトルと関連した第１の電力ヘッドルームおよび前記無認可スペクトルと関連した第２の電力ヘッドルームを示す電力ヘッドルーム報告
のうちの１つまたは複数を備える、請求項４９に記載の方法。
【請求項５５】
物理リソースブロック（ＰＲＢ）の同じセットを、前記無認可スペクトルのアップリンク上の複数のユーザに、前記送信されたアップリンク許可に少なくとも部分的に基づいて割り当てることと、
前記割り当てられたＰＲＢを使用する前記複数のユーザからアップリンクデータを受信することと、
前記アップリンクデータを逐次干渉除去（ＳＩＣ）を使用して復号することと
をさらに備える、請求項４９に記載の方法。
【請求項５６】
直交復調基準信号（ＤＭ−ＲＳ）シーケンスおよびスクランブリングコードのうちの一方または両方を、前記複数のユーザの各々に、前記アップリンクデータの伝送のために割り当てること
をさらに備える、請求項５５に記載の方法。
【請求項５７】
前記複数のユーザの各々から、前記アップリンクデータと一緒に、送信フォーマット選択、ハイブリッド自動再送要求識別子（ＨＡＲＱ−ＩＤ）、およびＨＡＲＱ冗長バージョン（ＲＶ）のうちの１つまたは複数を示す信号を受信すること
をさらに備える、請求項５５に記載の方法。
【請求項５８】
プロセッサと、
前記プロセッサと電子通信しているメモリと、
前記メモリに記憶された命令、前記命令は、
認可スペクトルを介してスケジューリング情報を受信することと、
前記認可スペクトルおよび無認可スペクトルの両方を介して送信することが可能なユーザ機器（ＵＥ）に、前記認可スペクトルを介してアップリンク許可を送信すること、前記アップリンク許可は、前記スケジューリング情報に少なくとも部分的に基づいており、かつ、前記無認可スペクトル上のリソースの第１のセットおよび前記認可スペクトル上のフォールバックリソースの第２のセットが前記ＵＥのためにリザーブされることを示し、前記アップリンク許可は、リソースの前記第１のセットおよびフォールバックリソースの前記第２のセットの出現の前に、前記無認可スペクトル上のリソースの前記第１のセットの利用可能性を決定するためのクリアチャネルアセスメント（ＣＣＡ）をトリガするように構成される、と、
リソースの前記第１のセットが利用できることを前記ＣＣＡが示す場合、前記無認可スペクトル上のリソースの前記第１のセットを介して伝送を受信することと、
リソースの前記第１のセットが利用できないことを前記ＣＣＡが示す場合、前記認可スペクトル上のフォールバックリソースの前記第２のセットを介してフォールバック伝送を受信することと
を行うように前記プロセッサによって実行可能である、と、
を備える、ワイヤレス通信のための装置。
【請求項５９】
前記スケジューリング情報は、
スケジューリング要求、
バッファステータス報告、ならびに
前記認可スペクトルと関連した第１の電力ヘッドルームおよび前記無認可スペクトルと関連した第２の電力ヘッドルームを示す電力ヘッドルーム報告
のうちの１つまたは複数を備える、請求項５８に記載の装置。
【請求項６０】
認可スペクトルを介してスケジューリング情報を受信するための手段と、
前記認可スペクトルおよび無認可スペクトルの両方を介して送信することが可能なユーザ機器（ＵＥ）に、前記認可スペクトルを介してアップリンク許可を送信するための手段、前記アップリンク許可は、前記スケジューリング情報に少なくとも部分的に基づいており、かつ、前記無認可スペクトル上のリソースの第１のセットおよび前記認可スペクトル上のフォールバックリソースの第２のセットが前記ＵＥのためにリザーブされることを示し、前記アップリンク許可は、リソースの前記第１のセットおよびフォールバックリソースの前記第２のセットの出現の前に、前記無認可スペクトル上のリソースの前記第１のセットの利用可能性を決定するためのクリアチャネルアセスメント（ＣＣＡ）をトリガするように構成される、と、
リソースの前記第１のセットが利用できることを前記ＣＣＡが示す場合、前記無認可スペクトル上のリソースの前記第１のセットを介して伝送を受信するための手段と、
リソースの前記第１のセットが利用できないことを前記ＣＣＡが示す場合、前記認可スペクトル上のフォールバックリソースの前記第２のセットを介してフォールバック伝送を受信するための手段と
を備える、ワイヤレス通信のための装置。
【請求項６１】
ワイヤレス通信のためのコンピュータプログラム製品であって、
前記コンピュータプログラム製品は、
認可スペクトルを介してスケジューリング情報を受信することと、
前記認可スペクトルおよび無認可スペクトルの両方を介して送信することが可能なユーザ機器（ＵＥ）に、前記認可スペクトルを介してアップリンク許可を送信すること、前記アップリンク許可は、前記スケジューリング情報に少なくとも部分的に基づいており、かつ、前記無認可スペクトル上のリソースの第１のセットおよび前記認可スペクトル上のフォールバックリソースの第２のセットが前記ＵＥのためにリザーブされることを示し、前記アップリンク許可は、リソースの前記第１のセットおよびフォールバックリソースの前記第２のセットの出現の前に、前記無認可スペクトル上のリソースの前記第１のセットの利用可能性を決定するためのクリアチャネルアセスメント（ＣＣＡ）をトリガするように構成される、
リソースの前記第１のセットが利用できることを前記ＣＣＡが示す場合、前記無認可スペクトル上のリソースの前記第１のセットを介して伝送を受信することと、
リソースの前記第１のセットが利用できないことを前記ＣＣＡが示す場合、前記認可スペクトル上のフォールバックリソースの前記第２のセットを介してフォールバック伝送を受信することと
を行うようにプロセッサによって実行可能な命令を記憶する非一時的コンピュータ可読媒体を備える、ワイヤレス通信のためのコンピュータプログラム製品。